(57)【要約】【課題】  本考案の課題は、簡単な構成で且つ耐久性に優れ、しかも大掛かりなリフォームが不要な床暖房用の畳を提供することである。【解決手段】  本考案の畳１は、商用電源に通電するヒータパネル３の周面に畳表５を貼り付けており、畳１の厚みが１．５ｃｍ〜５ｃｍとなっている。そして、畳１の下面に形成した引き出し口２９から引き出した電源コード１０を商用電源につなぐことで、発熱体７が発熱し、畳表５に熱が伝わるようになっている。【選択図】      図１
0003103216.tif 000002
【実用新案登録請求の範囲】
【請求項１】
商用電源に通電するヒータパネルの周面に畳表を貼り付けたことを特徴とする畳。
【請求項２】
畳は厚みが１．５ｃｍ〜５ｃｍであることを特徴とする請求項１記載の畳。
【考案の詳細な説明】
【技術分野】
【０００１】
本考案は、床暖房に用いられる畳に関する。
【背景技術】
【０００２】
特許文献１に記載の従来技術では、床暖房用の畳として、畳表と畳床との間にヒータ線を設ける構成が開示されている。
【０００３】
一方、特許文献２に記載の従来技術では、床暖房用の畳として、床面に熱源用チューブと、その上面に暖房用ボードを配置し、さらに暖房用ボードの表面に畳表を設ける構成が開示されている。この構成では、熱源用チューブ内を流れる温水の熱を暖房用ボードの表面に設けた畳表に伝えている。
【０００４】
【特許文献１】特開平１０−３００１０９号公報
【特許文献２】特開２００３−１７２０１６号公報
【考案の開示】
【考案が解決しようとする課題】
【０００５】
しかし、特許文献１に記載の従来技術は、畳表と畳床との間にヒータ線を設けてあるので、ヒータ線を畳内で固定する必要があり、構成が複雑になるとともに、断線し易く耐久性に乏しいという問題がある。
【０００６】
また、特許文献２に記載の従来技術は、熱源用チューブに温水を流す構成であるから、温水を供給する装置が別途必要になり、大掛かりなリフォームが必要になるという問題がある。
【０００７】
本考案は、簡単な構成で且つ耐久性に優れ、しかも大掛かりなリフォームが不要な床暖房用の畳を提供することを目的とする。
【課題を解決するための手段】
【０００８】
前記課題を解決するために、請求項１に記載された考案は、商用電源に通電するヒータパネルの周面に畳表を貼り付けたことを特徴とする。
【０００９】
請求項２に記載された考案は、請求項１に記載の考案において、畳は厚みが１.５ｃｍ〜５ｃｍであることを特徴とする。
【考案の効果】
【００１０】
請求項１に記載の考案によれば、ヒータパネルの周面に畳表を貼り付ける構成なので、構成が簡単で且つ耐久性に優れる。
【００１１】
また、商用電源を利用して暖房を行なうので、例えば上述の従来技術のように温水を供給する装置が必要とならず、大掛かりなリフォームが不要である。
【００１２】
請求項２に記載された考案によれば、請求項１に記載された考案と同様の効果が得られるとともに、畳の厚みを１.５ｃｍ〜５ｃｍとしたは、畳の厚みが５ｃｍを超えると畳を敷いた際に床面から出っ張り易いという問題があり、畳の厚みが1.5ｃｍ未満の場合は十分な耐久性を得られないからである。
【考案を実施するための最良の形態】
【００１３】
以下に、添付図面を参照して、本考案の実施の形態を詳細に説明する。図１は本実施の形態に係る畳を示す斜視図、図２は図１に示す畳の断面図、図３は本実施の形態に係る畳を敷詰めた状態を示す断面図、図４は本実施の形態に係る畳を敷詰めた状態を示す全体斜視図である。
【００１４】
本考案の実施の形態に係る畳１は、和室部屋に用いられるものであり、商用電源に通電するヒータパネル３の周面に畳表５を貼り付けて構成されている。ヒータパネル３は下面が開口した箱型の熱導電材９と、その内側上部に配置される発熱体７と、熱導電材９で囲まれる空間内に充填される発泡樹脂製の断熱材１１とを備え、発熱体７に電源コード１０の一端が接続されている。そして、畳１の下面に形成した引き出し口２９から引き出した電源コード１０を商用電源につなぐことで、発熱体７が発熱し、熱導電材９を介して畳表５に熱が伝わるようになっている。尚、畳１は１００Ｖ又は２００Ｖの何れにも対応できるようになっている。
【００１５】
また、畳１の厚みを１.５ｃｍ〜５ｃｍとしており、通常の畳とほぼ同じ厚さとなっている。畳の厚みが５ｃｍを超えると畳を敷いた際に床面から出っ張り易いという問題があり、畳の厚みが１.５ｃｍ未満の場合は十分な耐久性を得られないからである。よって、畳１を敷いた際に床面２７から出っ張ることがなく、既設の畳と交換するだけで暖房用の畳１を配置することができる。
【００１６】
また、部屋の壁１５には電源のコンセント１７と、その隣にコントロールボックス１９が設けられており、コントロールボックス１９の電源コード２１がコンセント１７に差し込まれている。コントロールボックス１９にはそれぞれの畳１から延びる電源コード１０の差込口２５と、切替スイッチ２３とを備えており、切替スイッチ２３を操作することで、暖房のＯＮ・ＯＦＦを行なっている。また、コントロールボックス１９には床暖房の設定温度の切り替えを行う温度制御スイッチを設けても良い。
【００１７】
次に、上記した構成に基づき、本実施の形態に係る作用を説明する。畳１を床に敷詰める場合には、既設の畳を取り除く。そして、取り除いた畳の代わりに本実施の形態に係る畳１を敷き、電源コード１をコントロールボックス１９の差込口２５に差し込む。そして、コントロールボックス１９の切替スイッチ２３をＯＮにすることで床暖房を行なう。
【００１８】
このように本実施の形態に係る畳１は、商用電源を利用して床暖房を行なうので、例えば上述の従来技術のように温水を供給する装置が必要とならず、大掛かりなリフォームが不要である。
【００１９】
また、それぞれの畳１ごとに電源コード１０を備えているので、任意の畳のみを床暖房用の畳１に張り替えることができ、既設の通常の畳と床暖房用の畳１との併用ができる。
【００２０】
本実施の形態に係る畳１はヒータパネル３の周面に畳表５を貼り付けているので、構成が簡単且つ耐久性に優れる。
【００２１】
尚、本考案は上述した実施の形態に限定されず、その要旨を逸脱しない範囲で種々の変形が可能である。
【００２２】
上述の実施の形態では、電源コード１０の引き出し口２９を畳１の下面に設けたが、図５に示すように畳１の側面に設けても良い。
【００２３】
また、コントロールボックス１９の切替スイッチ２３は複数設けても良く、畳１の数（本実施の形態では６畳）の切替スイッチ２３を設けることで、畳１ごとに暖房のＯＮ・ＯＦＦを行なうことができる。また、畳１を各ブロックに区切ることで、「全面」「左面」「右面」等の使い方に合わせた暖房を行なうことができる。
【００２４】
本実施の形態に係る畳１は、洋室のフローリングに敷くものであっても良い。
【図面の簡単な説明】
【００２５】
【図１】本実施の形態に係る畳を示す斜視図である。
【図２】図１に示す畳の断面図である。
【図３】本実施の形態に係る畳を敷詰めた状態を示す断面図である。
【図４】本実施の形態に係る畳を敷詰めた状態を示す全体斜視図である。
【図５】変形例に係る畳を示す斜視図である。
【符号の説明】
【００２６】
１      畳
３      ヒータパネル
５      畳表
【図１】
0003103216.tif 000003
【図２】
0003103216.tif 000004
【図３】
0003103216.tif 000005
【図４】
0003103216.tif 000006
【図５】
0003103216.tif 000007